(57)【特許請求の範囲】
【請求項１】
一主面が、非光放射鏡領域、及び拡散光放射領域を含む照明付き鏡であって、
該一主面側となる一主面に非発光領域、及び発光領域を含む有機ＥＬタイルを備え、
該一主面側に、該拡散光放射領域に対応する光取出しフィルムを備え、
該有機ＥＬタイルは、該発光領域に対応する有機ＥＬ素子として、第１電極層、機能層、及び金属層の重畳部分を含み、
該金属層は、該鏡の光反射面としての役割を有し、
平面視、該光取出しフィルムが対応してなる該拡散光放射領域が該発光領域を含み、かつ、該光取出しフィルムが対応しないでなる該非光放射鏡領域が該非発光領域に含まれることを特徴とする照明付き鏡。
【請求項２】
前記有機ＥＬタイルが、前記一主面側から、絶縁透光性基板、導電透光性材料層、有機材料を含む発光層を含む前記機能層、前記金属層、及び封止層を含み、
該導電透光性材料層が、前記有機ＥＬ素子を構成する前記第１電極層と、該第１電極層から絶縁され、かつ、前記非発光領域に対応する絶縁領域と、を含み、かつ、
前記機能層、及び前記金属層と、該封止層とが、前記第１電極層上、及び該絶縁領域上に跨って形成されていることを特徴とする請求項１に記載の照明付き鏡。
【請求項３】
前記第１電極層と、前記絶縁領域とが、前記導電透光性材料層に形成された絶縁溝によって前記絶縁され、
平面視、該絶縁溝が前記拡散光放射領域に含まれることを特徴とする請求項２に記載の照明付き鏡。
【請求項４】
前記絶縁溝の断面形状が、前記絶縁透光性基板側の底面から前記機能層側に向かって、その溝の幅が広がる形状を有し、且つ、
該底面に、前記絶縁溝に平行な基板機能層接触領域であって、前記導電透光性材料層の材料が存在せず、前記絶縁透光性基板の表面が前記機能層と直接接している基板機能層接触領域を有することを特徴とする請求項３に記載の照明付き鏡。
【請求項５】
前記有機ＥＬ素子が、白色発光素子であることを特徴とする請求項１〜４のいずれかに記載の照明付き鏡。
【請求項６】
前記非光放射鏡領域を鏡として利用することを特徴とし、尚且つ、
該鏡の使用者が、前記発光領域を直に見てしまい目がくらんでしまわないよう、前記発光領域の全面に光を拡散する機能を有する前記光取出しフィルムが配されていることを特徴とする請求項１〜５のいずれかに記載の照明付き鏡。
【発明の詳細な説明】
【技術分野】
【０００１】
本発明は、照明付き鏡に関する。
【背景技術】
【０００２】
従来の技術として、鏡面部の周縁部に発光領域を形成させ、蛍光灯など外部の照明が利用できない暗い場所で、発光領域を発光させることにより鏡を使用することができる照明装置付き鏡があった（例えば、特許文献１参照。）。
【０００３】
特許文献１には、図４に示すように、鏡部である非発光部５１と、発光部５２とに分かれている自発光鏡５０が開示されている。自発光鏡５０は、絶縁透光性基板５３上の一部に導電透光性材料層５４が形成され、絶縁透光性基板５３及び導電透光性材料層５４上に絶縁透光性基板５３の全面に対応して有機化合物層（機能層）５５を、機能層５５上に絶縁透光性基板５３の全面に対応して金属層５６を形成させることにより、非発光部５１と発光部５２を形成させている。
【０００４】
また、特許文献１には、図５に示すように、絶縁透光性基板５３上のほぼ全面に導電透光性材料層５４を形成させ、導電透光性材料層５４上の鏡部である非発光部５１上にレジスト５７を形成させ絶縁性を付与し、レジスト５７上を含む絶縁透光性基板５３の全面に対応して機能層５５を、機能層５５上に絶縁透光性基板５３の全面に対応して金属電極５６を形成させている自発光鏡６０が開示されている。
【０００５】
また、特許文献２には、レーザー加工にて導電透光性材料層に絶縁溝を設け、発光部と非発光部を区分けする技術が開示されている。
【先行技術文献】
【特許文献】
【０００６】
【特許文献１】特開２０００−４１８０７号公報
【特許文献２】特開２００５−１７３０３６号公報
【発明の概要】
【発明が解決しようとする課題】
【０００７】
ところが、特許文献１に記載の手鏡５０、６０の構成では、どちらの構成においても鏡として利用できる部分５１が発光部５２と外観上連続しており、発光部５２も非発光時には鏡として機能するため区別が明確でなく、発光時に使用者が発光部５２を直視してしまい、目がくらんでしまう可能性がある。
【０００８】
また、特許文献２も、特許文献１と同様に、発光部を直視してしまい、目がくらんでしまう可能性がある点について、考慮されていない。
【０００９】
本発明はこのような従来技術に存在する問題点に着目してなされたものである。その目的とするところは、発光時に使用者が発光部を直視し目がくらんでしまう問題が発生しない照明付き鏡を提供することである。
【００１０】
このような本発明の照明付き鏡は、外観上、発光部と、鏡として機能する非発光部とが完全に区分けされているので、使用者に非発光部に鏡があることを認識させることができるので、使用者が発光部を直視してしまう虞が無い。
【課題を解決するための手段】
【００１１】
上記の目的を達成するために、本発明の照明付き鏡は、一主面が、非光放射鏡領域、及び拡散光放射領域を含む照明付き鏡であって、
該一主面側となる一主面に非発光領域、及び発光領域を含む有機ＥＬタイルを備え、
該一主面側に、該拡散光放射領域に対応する光取出しフィルムを備え、
該有機ＥＬタイルは、該発光領域に対応する有機ＥＬ素子として、第１電極層、機能層、及び金属層の重畳部分を含み、
該金属層は、該鏡の光反射面としての役割を有し、
平面視、該光取出しフィルムが対応してなる該拡散光放射領域が該発光領域を含み、かつ、該光取出しフィルムが対応しないでなる該非光放射鏡領域が該非発光領域に含まれることを特徴としている。このような本発明の照明付き鏡は、後述するように、使用者が発光物を直視してしまい目がくらんでしまうことを防ぐことができ、また、使用者にギラツキ感を与えることが無く、さらに、照明対象を美しく見せることができ、またさらに、有機ＥＬ素子からの発光をロス無く最大限に活用可能であり、美しい外観を有する。
【００１２】
言い換えれば、本発明の目的・効果は、透光性基板、好ましくは透明基板、に透光性材料層を介して形成された薄膜金属層が、基板側から鏡のように見えることを利用し、かつ、透光性材料層及び金属層を発光する有機ＥＬ素子の構成層とすることで、周囲が暗い状況下でも使用可能な照明付き鏡であって、鏡利用者が、発光領域を直に見てしまい、目がくらんでしまう問題が起きない照明付き鏡を提供することである。このような本発明の照明付き鏡を、本発明者らが発明に至った背景には、有機ＥＬタイルの薄膜金属層が鏡のように見えることを利用した、周囲が暗い状況下でも使用可能な照明付き鏡について、かねてより、欧州をはじめ、国内の化粧品メーカー等からその実現の要請があり、化粧用の照明付き鏡として有用な、例えばコンパクト用等の、照明付き鏡の提供が待たれていたことがある。
【００１３】
また、前記有機ＥＬタイルは、前記一主面側から、絶縁透光性基板、導電透光性材料層、有機材料を含む発光層を含む機能層、金属層、及び封止層を含み、該導電透光性材料層は、前記有機ＥＬ素子を構成する第１電極層と、該第１電極層から絶縁され、かつ、前記非発光領域に対応する絶縁領域とを含み、かつ、該有機ＥＬ素子を構成する、該機能層、及び該金属層と、該封止層とは、該第１電極層上、及び該絶縁領域上に跨って形成されていることが好ましく、有機ＥＬ素子への水分の浸入が防止されることで長期信頼性を有する照明付き鏡を簡便に製造可能となる。
【００１４】
また、前記第１電極層と、前記絶縁領域とが、前記導電透光性材料層に形成された絶縁溝によって前記絶縁され、平面視、該絶縁溝が前記拡散光放射領域に含まれることが好ましく、導電透光性材料層から第１電極層を作成する際、エッチング加工等、手間やコストがかかる工程を用いる必要が無いので、簡便安価に本発明の照明付き鏡を製造可能であるだけでなく、この絶縁溝の平均幅を好ましくは２ｍｍ以下、より好ましくは５００μｍ以下、さらに好ましくは１００μｍ以下と細くすることと、平面視、この絶縁溝が本発明に係る光取出しフィルムに覆われることとなるので、外観からはこの絶縁溝が視認されなくなることにより、外観に優れる照明付き鏡となる。
【００１５】
また、前記絶縁溝の断面形状が、前記絶縁透光性基板側の底面から前記機能層側に向かって、その溝の幅が広がる形状を有し、且つ、該底面に、前記絶縁溝に平行な基板機能層接触領域であって、前記導電透光性材料層の材料が存在せず、前記絶縁透光性基板の表面が前記機能層と直接接している基板機能層接触領域を有するようにすることが好ましく、本発明に係る絶縁領域が、確実に本発明に係る第１電極層から絶縁されるので、本発明に係る非発光領域を確実に非発光とすることができ、本発明に係る使用者の目のくらみ発生の根絶効果をより確実なものとできるだけでなく、本発明の照明付き鏡での電力ロスや信頼性低下を防止できる。
【００１６】
また、前記絶縁溝は、前記絶縁透光性基板上に前記導電透光性材料層を形成した後、前記導電透光性材料層の一部をレーザー加工にて除去することによって形成されたものであることが好ましく、好ましい前記形状の加工が可能であり、それにより前述の効果が奏されることとなる。即ち、この発明では、絶縁溝をレーザー加工によって形成しているため、エッチングで絶縁溝を形成する場合に比較して、有機ＥＬ素子として発光領域に対応する第１電極層と、絶縁領域である非発光領域に対応する領域との境目に、簡単に絶縁透光性基板の反対側ほど幅が広がる形状の溝を、形成することができ、尚且つ、絶縁溝、好ましくはその中央、には、導電透光性材料層の材料が存在せず、絶縁透光性基板の表面が機能層と直接接している、当該絶縁溝に平行な機能層接触領域を形成することができる。このようなレーザー加工による加工では、好ましい本発明に係る絶縁溝を形成せしめる観点から、その溝の顕微観察による最大幅は、３０μｍ〜１００μｍとすることが好ましい。
【００１７】
また、前記有機ＥＬ素子は、白色発光素子であることが好ましく、自然光下で視認されるのと同様の視認性を付与可能に、照明対象を照明可能であり、より好ましくは、前記有機ＥＬ素子を、演色性が８５以上の発光が可能な白色発光素子とすることであり、さらに好ましくは、演色性を９０以上、特に好ましくは９５以上とすることである。
【００１８】
また、前記非光放射鏡領域を鏡として利用し、尚且つ、該鏡の使用者が、前記発光領域を直に見てしまい目がくらんでしまわないよう、前記発光領域の全面に光を拡散する機能を有する前記光取出しフィルムが配されていることが好ましく、このような本発明の照明付き鏡は、例えば、手鏡として好適に使用できる。この明細書で「手鏡」とは、化粧用コンパクトミラー、携帯用の折りたたみ鏡、携帯用の小物（エチケットブラシ）用の鏡などの携帯用として用いることができる小型の鏡のことをいう。
【発明の効果】
【００１９】
本発明によれば、その照明付き鏡の拡散光放射領域は、その全面に光を拡散する機能を有する光取出しフィルムが形成されている為、鏡としての機能は有さないものの、本発明の照明付き鏡では、当該拡散光放射領域を発光させた際、例えば周囲が暗い状況では特に、拡散光放射領域と非光放射鏡領域との認識が容易に為される為、発光部を使用者が直視してしまい目がくらんでしまうことを防ぐことができる。
【００２０】
また、本発明の照明付き鏡は、その発光部から、柔らかい拡散光のみが放射されるので、手鏡のように近い距離で使用しても、使用者にギラツキ感を与えることが無い。
さらに、本発明の照明付き鏡は、このような拡散光を、好ましくは演色性の高い発光をする有機ＥＬ素子を光源として、放出し照明するので、照明対象を美しく見せることができる。またさらに、本発明の照明付き鏡では、平面視、本発明の発光領域は、その全てが本発明に係る拡散光放射領域に含まれるので、有機ＥＬ素子からの発光をロス無く最大限に活用可能であり、平面視、本発明の非光放射鏡領域である鏡は、その全てが本発明に係る非発光領域に含まれるので、その鏡面に不連続線が無い、美しい外観を有する。
【図面の簡単な説明】
【００２１】
【図１】本発明の照明付き鏡１００の一実施形態における主要部の断面模式図である。
【図２】本発明の照明付き鏡１００の一実施形態例の写真である。
【図３】本発明の照明付き鏡１００の別の一実施形態例の写真である。
【図４】従来技術の自発光鏡の一例の断面模式図である。
【図５】従来技術の自発光鏡の別の一例の断面模式図である。
【発明を実施するための形態】
【００２２】
以下、本発明の照明付きの鏡について、本発明に係る図１を用いて説明する。図1は、本発明の照明付き鏡１００の一実施形態における主要部の断面模式図である。
【００２３】
（照明付き鏡１００）
本発明の照明付き鏡１００は、図１に示すように、その一主面１１０が、拡散光放射領域１１１、及び非光放射鏡領域１１２を含み、好ましくは、その一主面１１０の全面がこれら２つの領域からなる。なお、図１における下側が、本発明に係る一主面１１０側である。また、本発明の照明付き鏡１００は、後述する有機ＥＬタイル１、及び後述する光取出しフィルム２を含む。
【００２４】
そして、平面視、この拡散光放射領域１１１が後述する発光領域１１を含み、かつ、この非光放射鏡領域１１２が後述する非発光領域１２に含まれることが、本発明の一つの特徴である。また、この非光放射鏡領域１１２が、鏡としての機能を有することも、本発明の一つの特徴である。さらに、前記拡散光放射領域に対応して、本発明の照明付き鏡１００は、その一主面１１０側に、光を拡散する機能を有する、前記光取出しフィルム２を備えることも、本発明の一つの特徴である。
【００２５】
即ち、本発明の照明付き鏡１００は、前記鏡としての機能を有する本発明に係る非光放射鏡領域１１２を鏡として用いた際、その鏡の使用者が、前記発光領域１１を直に見てしまい目がくらんでしまわないよう、当該発光領域１１の全面に光を拡散する機能を有する光取出しフィルム２が配されている。
【００２６】
本発明の照明付き鏡１００において、拡散光放射領域１１１は、非光放射鏡領域１１２の周囲全体に亘って設けられていることが好ましく、発光時に、照らされた使用者の鏡に映る顔に、影となる薄暗い部分を少なくすることができる。
【００２７】
また、本発明の照明付き鏡１００の形状は、矩形状に限らず、正方形や他の四角形、三角形、五角形以上の多角形、円形、楕円形など、任意の形状に形成してもよい。
【００２８】
（有機ＥＬタイル１）
本発明に係る有機ＥＬタイル１は、本発明の照明付き鏡１００の前記一主面１１０側となる、その一主面が、前述の発光領域１１、及び前述の非発光領域１２を含み、好ましくは、その一主面の全面がこれら２つの領域からなる。この発光領域１１には、その全面に前記光取出しフィルム２が配される。また、本発明に係る有機ＥＬタイル１は、前記発光領域１１に対応する有機ＥＬ素子を含む。また、本発明に係る有機ＥＬタイル１は、好ましくは、前記一主面側１１０から、いずれも後述する、絶縁透光性基板１４、導電透光性材料層１３、有機材料を含む発光層を含む機能層１５、金属層１６、及び封止層１７を含む。
【００２９】
なお、図１では模式的に各部を示しており、実際は絶縁透光性基板１４の厚さが０．５ｍｍ〜２ｍｍ程度が好ましいに対して、導電透光性材料層１３、機能層１５及び金属層１６の厚さは、数十〜５００ｎｍ程度が好ましい。また、封止層１７の厚さは、透光性導電材料層１３、機能層１５、及び金属層１６の各々厚さ、及びこれらを合計した厚み以上に形成されていることが好ましく、より好ましくは１μｍ以上、１０μｍ以下、さらに好ましくは、２μｍ以上、５μｍ以下である。
【００３０】
（光取出しフィルム２）
本発明に係る光取出しフィルム２は、光を拡散する機能を有する部材であれば、特に制限されるものではないが、少なくとも可視光領域で透明性を示す部材であることが好ましく、光取出し効率向上に寄与し得るものであることがより好ましい。その材質は、成形性の点から樹脂などの軟質材料から構成されていることが好ましいが、これに限定されるものではなく、ガラスなどの硬質材料を用いても良い。透明性の樹脂の例としては、ポリメチルメタクリレート、ポリアクリレート、ポリカーボネート、ポリビニルアルコール、ポリビニルピロリドン、ヒドロキシエチルセルロース、カルボキシメチルセルロース、ポリ塩化ビニル、メラニン樹脂、フェノール樹脂、アルキド樹脂、エポキシ樹脂、ポリウレタン樹脂、ポリエステル樹脂、マレイン酸樹脂、ポリアミド樹脂、ポリイミドアミド樹脂、環状ポリオレフィン樹脂、ノルボルネン系樹脂、４−メチルペンテン樹脂、ポリスルホン樹脂、ポリエーテルスルホン樹脂、ポリアリレート樹脂、ポリエチレンテレフタレート樹脂、ポリエチレンテレナフタレート樹脂、ポリプロピレンナフタレート樹脂、フッ素系樹脂、ポリウレタン樹脂、ポリスチレン樹脂、ポリエチレン樹脂、ポリプロピレン樹脂、ポリ塩化ビニル樹脂、ポリエステル樹脂、シリコーン樹脂、マレイン酸樹脂などが挙げられる。このような材料の中から、屈折率条件を考慮して適宜選択して使用することができる。
【００３１】
本発明に係る光取出しフィルム２は、多数の凹凸部を平面状に有することが好ましく、その凹凸が、本発明に係る一主面１１０側に存在することが、より好ましい。このような凹凸部を有することで、発光層で発生した光の全反射を低減し、光の出射角度を変えることにより、光取り出し効率の向上効果が期待できる。この凹凸部の構造は特に限定されないが、例えば、マイクロレンズ構造、ピラミッド構造、フォトニックアレイ構造を有するものなどを好ましく使用することができる。また、凹凸部の構造は、規則的な構造・配置であっても良いが、ランダムな構造・配置であっても良い。凹凸部の構造・配置をランダムにすることで、光の干渉を抑制する効果が期待できる。この凹凸部は、樹脂を光により微細にパターニングした後加熱することによって形成する方法、光硬化性または熱硬化性樹脂を塗布した後、凹凸状の鋳型を押し当て光照射または加熱により樹脂を硬化させた後に鋳型をとる方法、エッチング法により基板に塗布した材料もしくは基板自体を削ることによって作製する方法などにより作製できる。
【００３２】
この凹凸部の凹凸高さは特に制限はないが、１μｍ〜５００μｍであることが好ましい。より好ましくは５μｍ〜１００μｍの範囲である。この範囲の凹凸部を有することで、光の全反射を低減し、光の射出角度を変えることができるため、光取り出しの効果などの向上が期待できる。
【００３３】
本発明における光取出しフィルム２としては、樹脂等により成形されたシート上に凹凸部を形成したものを用い、本発明に係る有機ＥＬタイル１上に貼りつけても良い。
【００３４】
（有機ＥＬ素子１０）
本発明に係る有機ＥＬ素子１０は、前記光領域１１に対応する部分であり、好ましくは、後述する第１電極層１３ａ、前記機能層１５、及び前記金属層１６の重畳部分であり、前記光領域１１に対応する領域は、この重畳部分の前記絶縁透光性基板１４への投影領域である。
【００３５】
このような本発明に係る有機ＥＬ素子において、好ましくは、前記機能層１５中の発光層での発光は、前記絶縁透光性基板１４側の前記発光領域１１から取り出され（出射され）る。即ち、所謂ボトムエミッションタイプに構成されていることが好ましい。そして、本発明においては、この発光領域１１の全面には、光を拡散する機能を有する光取出しフィルム２が配される。このようにして平面視、発光領域１１を含む、本発明に係る拡散光放射領域１１１は、鏡としては機能しない。従って、鏡となっている領域を覗き込むこととなる使用者は、発光領域１１を覗き込むことは無い。
【００３６】
（絶縁透光性基板１４）
本発明に係る絶縁透光性基板１４は、電気的に絶縁性、かつ、透光性の板状の部材であれば、その材質は、より好ましい材料であるガラスに限らず、例えばフレキシブルなフィルム基板やプラスチック基板などであってもよい。
【００３７】
（導電透光性材料層１３）
本発明に係る導電透光性材料層１３は、前記絶縁透光性基板１４上に、好ましくはそのほぼ全面に、形成されおり、有機ＥＬ素子を構成する第１電極層１３ａと、当該第１電極層１３ａから絶縁され、かつ、非発光領域１２に対応する絶縁領域１３ｂを含む。この第１電極層１３ａは、好ましくは、本発明に係る有機ＥＬ素子１０の陽極として機能する。第１電極層１３ａと絶縁領域１３ｂとは、絶縁溝１３ｃにより、電気的に絶縁されている。この絶縁溝１３ｃが、本発明に係る拡散光放射領域１１１に含まれることが、本発明の特徴の一つである。即ち、本発明に係る絶縁溝１３ｃは、導電透光性材料層１３を、発光領域１１に対応する有機ＥＬ素子１０を構成する第１電極層１３ａと、前記非光放射鏡領域１１２として機能する領域を含む非発光領域１２に対応する絶縁領域１３ｂとに、区画するために設けられている。
【００３８】
本発明に係る導電透光性材料層１３の材料としては、導電性、及び透光性を有する材料であれば、特に制限は無いが、例えば、インジウム・スズ酸化物（ＩＴＯ）、インジウム・亜鉛酸化物（ＩＺＯ）、酸化錫（ＳｎＯ２）、酸化亜鉛（ＺｎＯ）等の金属酸化物の他、銀（Ａｇ）、クロム（Ｃｒ）等のような金属の薄膜等が挙げられ、本発明に係る有機ＥＬ素子１０の陽極として機能する材料であることが好ましく、また、本発明に係る有機ＥＬ素子１０の発光層で発生した光を効果的に取り出すこことができる材料であることが好ましく、そのような観点から、透明性が高いＩＴＯあるいはＩＺＯを特に好ましく使用することができる。後述する実施例の照明付き鏡１００では、この導電透光性材料層１３の材料として、インジウム・スズ酸化物（ＩＴＯ）を使用している。なお、後述する実施例の照明付き鏡１００では、導電透光性材料層１３は、機能層１５に比べて数倍の厚さに形成されている。
【００３９】
前記絶縁溝１３ｃは、絶縁透光性基板１４側の底面から機能層１５側に向かって、その溝の幅が広がる断面形状を有することが好ましく、前記絶縁透光性基板１４上に前記導電透光性材料層１３を形成した後、前記導電透光性材料層１３の一部をレーザー加工にて除去することによって形成されたものであることがより好ましい。ここで、前記底面には、前記絶縁溝１３ｃに平行で、かつ、前記導電透光性材料層１３の材料が存在せず、前記絶縁透光性基板１４の表面が前記機能層１５と直接接している基板機能層接触領域１３ｃａが形成されていることが好ましい。前記断面形状が、垂直となる形状であると、機能層１５を第１電極層１３ａ側の側面に蒸着し難く、該側面の絶縁透光性基板１４から遠い部分に機能層１５が形成されない場合があり、金属層１６が第１電極層１３ａと接触する状態となり、金属層１６と第１電極層１３ａとの間で電気的に短絡（リーク）してしまう場合がある。
【００４０】
前記断面形状、即ち、前記絶縁透光性基板１４と反対側ほど広がる形状とは、該絶縁溝１３ｃの側面である傾斜面が左右均等である必要はなく、少なくとも第１電極層１３ａ側の断面形状が、前記絶縁透光性基板１４の反対側ほど幅が広がる形状である傾斜面を有しておればよく、このような形状とすることで第１電極層１３ａ側の傾斜面に切れ目なく機能層１５が積層可能であればよい。
【００４１】
前記絶縁溝１３ｃは、後述する実施例の照明付き鏡１００では、マクロ的に見て、直線のものと、曲線のものが、共に例示されている。
【００４２】
また、前記絶縁溝１３ｃの溝幅としては、例えば３０μｍ〜１００μｍとすることで、完全に絶縁が得られることが好ましい。即ち、図１において、絶縁溝１３ｃの幅は、１００μｍ以下が好ましいのに対して、第１電極層１３ａの幅は数ｍｍ以上であることが好ましい。
【００４３】
この絶縁溝１３ｃの存在により、導電透光性材料層１３上に形成された機能層１５の全体が発光領域１１となるのではなく、第１電極層１３ａ上に形成された機能層１５であって、さらに、金属層１６との重畳部分が発光を行い、それ以外の非発光領域１２に含まれる絶縁領域１３ｂ上に形成された機能層１５は発光せず、そのような非発光領域１２に含まれる非光放射鏡領域１１２は、鏡として利用に供されることとなる。
【００４４】
（機能層１５）
本発明に係る機能層１５は、導電透光性材料層１３と金属層１６との間に設けられ、かつ、有機材料を含む発光層を少なくとも一つ含む層であり、第１電極層第１電極層１３ａ上、及び絶縁領域１３ｂ上に跨って形成されていることが好ましい。
【００４５】
また、機能層１５は、主に有機化合物からなり、複数の層から構成された層であることが好ましく一般に有機ＥＬ素子に用いられている低分子系色素材料や、共役高分子系材料などで形成することができる。また、この機能層１５は、ホール注入層、ホール輸送層、発光層、電子輸送層、電子注入層などの層からなる積層多層構造であることが好ましい。
【００４６】
また、機能層１５の発光層に異なる発光を示すドーパントを複数添加しても構わない。また他の層、例えば電子輸送層やホール輸送層にドーパントを添加しても良い。異なるドーパントから複数の発光色が見られる場合、望まれる混色発光が得られる。複数の発光色が互いに補色の関係にある場合、白色の発光が得られる。後述する実施例の照明付き鏡１００では、白色発光を行うように構成されている。また、白色発光として演色性の良い平均演色評価数（Ｒａ）が８０以上のものが好ましい。平均演色評価数（Ｒａ）とは、ものがどれだけ自然な色に見えるかという程度を指数として表したものである。平均演色評価数（Ra）が８０以上の白色であることが好ましいが、平均演色評価数（Ra）が８０未満のものであってもよい。また、機能層１５の発光色は白色であることが好ましいが、例えば青、赤などの色を用いて嗜好を凝らしたものであってもよい。この場合、使用者が自分の顔や姿を見るための鏡ではなく、例えばディスプレイ用の鏡に適している。
【００４７】
機能層１５には、ホール注入輸送層、ホール阻止層、電子阻止層等が含まれていてもよい。
【００４８】
（金属層１６）
本発明に係る金属層１６は、鏡の光反射面としての役割と、機能層１５に電圧を加えるための電極の役割とを有しており、その材料としては、光に対する反射性を有している金属が使用され、アルミニウム（アルミニウム合金を含む）や銀（銀合金を含む）が最も好ましく、その他の金属、これらの合金を場合によって用いることもでき、これらと電気伝導性化合物の混合物等がを場合によって用いることもできる。この金属層１６は、第１電極層第１電極層１３ａ上、及び絶縁領域１３ｂ上に跨って形成されていることが好ましい。この金属層１６は、好ましくは、本発明に係る有機ＥＬ素子１０の陰極として機能する。
【００４９】
（封止層１７）
本発明に係る封止層１７は、本発明に係る有機ＥＬ素子１０に水分や酸素が浸入することで、素子が劣化することを防止するため保護する封止膜を含む層であり、第１電極層第１電極層１３ａ上、及び絶縁領域１３ｂ上に跨って形成されていることが好ましい。
【００５０】
封止層１７は、少なくとも本発明に係る有機ＥＬ素子１０の全暴露面を覆うように、
機能層１５及び機能層１５上に形成されている金属層１６と、導電透光性材料層１３の一部とを覆うように形成されていることが好ましい。その封止膜の材料としては、有機ＥＬ素子の劣化を防ぐために、少なくとも水分若しくは水蒸気、より好ましくは酸素の透過を抑制する機能を有する材料であることが好ましく、窒化ケイ素、及び、乾燥後、無機シリカ（ＳｉＯ２）に変化する性質を有するポリシラザン化合物からなる群から選ばれる１種以上でることが好ましく、より好ましくは、これらを組み合わせて使用することである。
【実施例】
【００５１】
以下、実施例について説明する。
【００５２】
図２は、本発明の照明付き鏡１００の一実施形態例の写真である。図３は、本発明の照明付き鏡１００の別の一実施形態例の写真である。
【００５３】
このような実施例の照明付き鏡１００を以下の（１）、（２）、（３）、及び（４）の手順で作製した。
【００５４】
（１）導電透光性材料層１３であるＩＴＯ層を有する基板をレーザー加工し、ＩＴＯ層に絶縁溝１３cを形成することで、絶縁領域１３bと第１電極層１３aとに分割した。この絶縁領域１３bは、平面視、有機ＥＬタイル１の非発光領域１２に含まれる領域となる。
【００５５】
（２）絶縁領域１３bと第１電極層１３aとに跨って、有機材料を含む発光層を含む機能層１５、金属層１６を形成することで、第１電極層１３a、機能層１５、及び金属層１６の重畳領域からなる有機ＥＬ素子１０を含む、有機ＥＬ素子層を形成する。この有機ＥＬ素子１０に対応する領域が、有機ＥＬタイル１の発光領域１１となる。
【００５６】
（３）第１電極層１３a、及び、金属層１６へ、各々、外部から給電する給電用開口を除く、導電透光性材料層１３の一部に跨る、金属層１６全面上に封止層１７を形成した。
【００５７】
（４）平面視、非発光領域１２の一部に跨る発光領域１１の全面に、光取出しフィルム２を貼り付けることにより、一主面１１０が、非光放射鏡領域１１２、及び拡散光発光領域１１１を含む有機ＥＬパネル１００を製作した。光取出しフィルム２を貼り付けた領域が、照明付き鏡１００の拡散光放射領域１１１となる。
【符号の説明】
【００５８】
１００      照明付き鏡
１１０      一主面
１１１      拡散光放射領域
１１２      非光放射鏡領域
１      有機ＥＬタイル
２      光取出しフィルム
１０      有機ＥＬ素子
１１      発光領域
１２      非発光領域
１３      導電透光性材料層
１３ａ    第１電極層
１３ｂ    絶縁領域
１３ｃ    絶縁溝
１３ｃａ  基板機能層接触領域
１４      絶縁透光性基板
１５      機能層
１６      金属層
１７      封止層
【図１】
0006527696.tif 000002
【図２】
0006527696.tif 000003
【図３】
0006527696.tif 000004
【図４】
0006527696.tif 000005
【図５】
0006527696.tif 000006